(57)【要約】【課題】  ユーザの感性を反映した撮影画像を得るための撮影パラメータに的確かつ簡単に変更し、撮影を行うことができる撮像装置を提供する。【解決手段】  被写体光を撮像する撮像部３２と、前記撮像部により撮像した撮影画像を表示部１６に表示し、前記表示部に表示された前記撮影画像上に撮影パラメータに関する項目により構成される撮影条件変更リストを重畳表示する表示制御部３０と、前記撮影条件変更リストから少なくとも１つの項目を選択する選択部５０と、前記選択部により選択された前記項目の変更内容に撮影条件を変更する撮影条件変更部２８とを備える。【選択図】  図３
2013214881.tif 000002
【特許請求の範囲】
【請求項１】
被写体光を撮像する撮像部と、
前記撮像部により撮像した撮影画像を表示部に表示し、前記表示部に表示された前記撮影画像上に撮影パラメータに関する項目により構成される撮影条件変更リストを重畳表示する表示制御部と、
前記撮影条件変更リストから少なくとも１つの項目を選択する選択部と、
前記選択部により選択された前記項目の変更内容に撮影条件を変更する撮影条件変更部と
を備えることを特徴とする撮像装置。
【請求項２】
前記表示部に表示される前記撮影画像は、前記撮像部により撮影された後に最初に前記表示部に表示される確認画像であることを特徴とする請求項１記載の撮像装置。
【請求項３】
前記撮影条件変更リストは、予め設定された前記項目を含むことを特徴とする請求項１または２記載の撮像装置。
【請求項４】
前記撮影画像を解析する画像解析部を備え、
前記撮影条件変更リストは、前記画像解析部による解析結果に基づいて決定される項目を含むことを特徴とする請求項１または２記載の撮像装置。
【請求項５】
前記表示制御部は、前記画像解析部による解析結果に基づいて決定される前記項目を、前記解析結果に基づかない前記項目よりも優先的に前記選択部により選択可能な位置に表示することを特徴とする請求項４記載の撮像装置。
【請求項６】
前記表示制御部は、前記画像解析部による解析結果に基づいて決定される項目を、前記解析結果に基づかない前記項目と区別して表示することを特徴とする請求項４または５記載の撮像装置。
【請求項７】
前記撮影条件変更リストに表示可能な各項目が前記選択部により選択された選択回数を記録する選択回数記録部を備え、
前記表示制御部は、前記選択回数が多い前記項目を優先的に前記選択部により選択可能な位置に表示することを特徴とする請求項１〜４の何れか一項に記載の撮像装置。
【請求項８】
前記撮影条件変更リストに表示可能な各項目が前記選択部により選択された選択回数を記録する選択回数記録部を備え、
前記表示制御部は、前記選択回数が多い前記項目と、それ以外の前記項目とを区別して表示することを特徴とする請求項１〜４の何れか一項に記載の撮像装置。
【請求項９】
前記選択部により前記項目が選択された場合には、前記撮像部により撮像が可能な撮影モードに移行することを特徴とする請求項１〜８の何れか一項に記載の撮像装置。
【請求項１０】
前記撮影条件変更部は、前記選択部により選択された前記項目の前記変更内容に撮影条件を変更し、前記選択部により選択されていない前記項目の内容は変更しないことを特徴とする請求項９記載の撮像装置。
【請求項１１】
前記撮影条件変更部は、前記選択部により選択された前記項目の前記変更内容に撮影条件を変更し、前記選択部により選択されていない前記項目の変更内容を前記選択部により選択された前記項目の前記変更内容に基づいて決定することを特徴とする請求項９記載の撮像装置。
【請求項１２】
前記撮影画像を記録する画像記録部と、
前記撮影画像に関連付けられた前記撮影条件変更リストを記録するリスト記録部と、
前記撮影画像の撮影時刻を前記撮影画像に関連付けて記録する撮影時刻記録部と
を備え、
前記撮影時刻から所定時間内に前記表示部に前記画像記録部に記録された前記撮影画像の表示を行う場合には、前記表示制御部は、前記撮影画像上に前記リスト記録部に記録された前記撮影条件変更リストを重畳表示することを特徴とする請求項１記載の撮像装置。
【請求項１３】
前記撮影画像を記録する画像記録部と、
前記撮影画像に関連付けられた前記撮影条件変更リストを記録するリスト記録部と
前記撮影画像の撮影位置を前記撮影画像に関連付けて記録する撮影位置記録部と
を備え、
前記撮影位置から所定距離内において前記表示部に前記画像記録部に記録された前記撮影画像の表示を行う場合には、前記表示制御部は、前記撮影画像上に前記リスト記録部に記録された前記撮影条件変更リストを重畳表示することを特徴とする請求項１記載の撮像装置。
【請求項１４】
前記撮影画像を記録する画像記録部と、
前記撮影画像に関連付けられた前記撮影条件変更リストを記録するリスト記録部と
被写体を認識する被写体認識部と
を備え、
前記被写体認識部により認識した前記表示部に表示される前記画像記録部に記録された前記撮影画像の前記被写体と、前記被写体認識部により認識した前記撮像部により取得した画像の前記被写体とが一致する場合には、前記表示制御部は、前記撮影画像上に前記リスト記録部に記録された前記撮影条件変更リストを重畳表示することを特徴とする請求項１記載の撮像装置。
【請求項１５】
前記撮影画像を解析する画像解析部を備え、
前記撮影条件変更リストは、前記画像解析部による解析結果に基づいて決定される項目を含むことを特徴とする請求項１２〜１４の何れか一項に記載の撮像装置。
【請求項１６】
前記撮影条件変更部は、前記選択部により選択された前記項目の前記変更内容に撮影条件を変更し、前記選択部により選択されていない前記項目の内容は前記リスト記録部に記録された前記撮影条件変更リストに基づいて決定することを特徴とする請求項１２〜１５の何れか一項に記載の撮像装置。
【請求項１７】
前記撮影条件変更リストは、前記画像記録部に記録される前記撮影画像のメタデータとして記録することを特徴とする請求項１２〜１６の何れか一項に記載の撮像装置。
【請求項１８】
前記撮影画像と前記撮影条件変更リストとを関連付けて、異なる記録媒体に記録することを特徴とする請求項１２〜１６の何れか一項に記載の撮像装置。
【請求項１９】
前記撮影条件変更リストは、ストロボ発光量、ＩＳＯ感度、ホワイトバランス、ピント位置変更、カラー設定、シャッタースピード、絞り値、測光条件のうちの少なくとも１つの変更内容を前記項目として含むことを特徴とする請求項１〜１８の何れか一項に記載の撮像装置。
【請求項２０】
前記撮影条件変更部により変更された前記撮影パラメータに基づいて前記撮影画像に対する画像処理を行うことによりシミュレーション画像を生成するシミュレーション画像生成部を備え、
前記表示制御部は、前記表示部に前記シミュレーション画像を表示することを特徴とする請求項１〜１９記載の何れか一項に記載の撮像装置。
【請求項２１】
前記選択部は、前記表示部に積層されて配置されるタッチパネルであることを特徴とする請求項１〜２０の何れか一項に記載の撮像装置。
【発明の詳細な説明】
【技術分野】
【０００１】
本発明は、撮像装置に関するものである。
【背景技術】
【０００２】
撮影状況に応じて撮影条件を自動設定するいわゆる「オートモード」により撮影を行うとユーザの意図しない撮影画像となってしまう場合があるため、撮影パラメータをユーザの判断により変更可能とした撮像装置が知られている（例えば、特許文献１参照）。この撮像装置においては、撮影画像の再生時にユーザにより選択された画像を失敗画像とし、その失敗要因に基づいて撮影パラメータの補正を行っている。
【先行技術文献】
【特許文献】
【０００３】
【特許文献１】特開２００７−１２４２４５号公報
【発明の概要】
【発明が解決しようとする課題】
【０００４】
しかし、この撮像装置では、撮影時の撮影パラメータと撮影環境情報とから補正が必要と想定される撮影パラメータの候補を抽出するため、撮影パラメータの補正を行ってもユーザの感性を反映した撮影画像が得られない場合があった。
【０００５】
本発明の目的は、ユーザの感性を反映した撮影画像を得るための撮影パラメータに的確かつ簡単に変更し、撮影を行うことができる撮像装置を提供することである。
【課題を解決するための手段】
【０００６】
本発明の撮像装置は、被写体光を撮像する撮像部と、前記撮像部により撮像した撮影画像を表示部に表示し、前記表示部に表示された前記撮影画像上に撮影パラメータに関する項目により構成される撮影条件変更リストを重畳表示する表示制御部と、前記撮影条件変更リストから少なくとも１つの項目を選択する選択部と、前記選択部により選択された前記項目の変更内容に撮影条件を変更する撮影条件変更部とを備えることを特徴とする。
【発明の効果】
【０００７】
本発明に係る撮像装置によれば、ユーザの感性を反映した撮影画像を得るための撮影パラメータに的確かつ簡単に変更し、撮影を行うことができる。
【図面の簡単な説明】
【０００８】
【図１】本発明の第１の実施の形態に係るカメラの前面を示す図である。
【図２】本発明の第１の実施の形態に係るカメラの背面を示す図である。
【図３】本発明の第１の実施の形態に係るカメラのシステム構成を示すブロック図である。
【図４】本発明の第１の実施の形態に係るカメラの撮影条件変更処理を示すフローチャートである。
【図５】本発明の第１の実施の形態に係るカメラの確認画像上に撮影条件変更リストを重畳表示した状態を示す図である。
【図６】本発明の第１の実施の形態に係るカメラの確認画像上に変更内容決定しリストを重畳表示した状態を示す図である。
【図７】本発明の第２の実施の形態に係るカメラの撮影条件変更処理を示すフローチャートである。
【図８】本発明の第３の実施の形態に係るカメラの撮影条件変更処理を示すフローチャートである。
【図９】本発明の第４の実施の形態に係るカメラの撮影条件変更処理を示すフローチャートである。
【発明を実施するための形態】
【０００９】
以下、図面を参照して本発明の第１の実施の形態に係る撮像装置についてカメラを例に説明する。図１は第１の実施の形態に係るカメラの前面を示す図であり、図２は第１の実施の形態に係るカメラの背面を示す図である。図１に示すように、カメラ２の前面には、撮影レンズ６、フラッシュ光源を射出するフラッシュ光源８、合焦の際に被写体が低輝度である場合等に発光を行うＬＥＤ等により構成されるＡＦ補助光源１０が設けられ、カメラ２の上部には、電源ボタン１２、半押し操作による撮影準備指示、全押し操作による撮影指示を受け付けるシャッタボタン１４が設けられている。
【００１０】
また、図２に示すように、カメラ２の背面には、液晶により構成され確認画像や撮影画像、撮影条件変更リスト等を表示するＬＣＤ表示部１６、撮影条件変更リストから撮影パラメータに関する項目等の選択操作を受け付ける選択ボタン１８、選択ボタン１８により選択した項目の決定操作を受け付ける決定ボタン２０、メニュー画面を表示するメニューボタン２２、内部メモリ３８またはメモリカード４０（図３参照）に記録された撮影画像の再生指示を行う再生ボタン２４、選択ボタン１８による選択操作を解除するキャンセルボタン２６が設けられている。なお、選択ボタン１８は決定ボタン２０の周囲を環状に取り囲むように設けられている。
【００１１】
図３は、第１の実施の形態に係るカメラのシステム構成を示すブロック図である。カメラ２は、ＣＰＵ２８を備え、ＣＰＵ２８には、フラッシュ光源８、ＡＦ補助光源１０、電源ボタン１２、シャッタボタン１４、ＬＣＤ表示部１６の表示制御を行う表示制御部３０、撮像素子３２から出力された撮像信号を図示しないＡ／Ｄ変換部においてＡ／Ｄ変換することにより生成された画像データに、ホワイトバランス調整、輪郭補償、ガンマ補正等の画像処理を行う撮影画像処理部３４、撮影レンズ６の駆動制御や撮像素子３２のＩＳＯ感度の制御、図示しないシャッタのスピード制御等を行う撮影制御部３６、撮影画像データや撮影条件変更リストデータ等の種々のデータを記憶する内部メモリ３８、撮影画像データや撮影条件変更リストデータ等の種々のデータを記憶する外部の記憶媒体であるメモリカード４０を装着するカードスロット４２、撮影画像や確認画像を解析する画像解析部４４、撮影条件変更リストから決定された撮影条件により撮影を行った場合のシミュレーション画像を生成するシミュレーション画像生成部４６、ＧＰＳ衛星から受信した信号に基づいて自己位置を測位するＧＰＳ４８、図示しない水晶振動子を有し計時動作を行うＲＴＣ（リアルタイムクロック）４９、操作部５０が接続されている。
【００１２】
ここで、撮像素子３２は、ＣＣＤ或いはＣＭＯＳ等により構成され、撮影レンズ６を介した被写体光を撮像して撮像信号（蓄積電荷としてのアナログ信号）を生成する。また、操作部５０は、選択ボタン１８、決定ボタン２０、メニューボタン２２、再生ボタン２４、キャンセルボタン２６を備えている。
【００１３】
次に、図４に示すフローチャートを参照して第１の実施の形態に係るカメラの撮影条件変更処理について説明する。ＬＣＤ表示部１６に撮像素子３２から出力された撮像信号に基づくスルー画像を表示する撮影モードにおいて、シャッタボタン１４の全押し操作により撮影指示が行われると、ＣＰＵ２８は撮影制御部３６を制御して被写体の撮影を行う（ステップＳ１）。次に、ＣＰＵ２８は画像解析部４４を制御して、ステップＳ１において撮影した画像の解析を行う（ステップＳ２）。次に、ＣＰＵ２８は表示制御部３０を制御して、ステップＳ１において撮影した画像を確認画像としてＬＣＤ表示部１６に表示させると共に、撮影条件変更リストを確認画像上に重畳表示させる（ステップＳ３）。
【００１４】
ここで、撮影条件変更リストは、撮影パラメータに関する項目により構成されている。例えば、図５に示すようにＣＰＵ２８は、確認画像５２上に「ホワイトバランス」、「ＩＳＯ感度」、「ピクチャーカラー」、「フラッシュ発光量」を撮影パラメータに関する項目として含む撮影条件変更リスト５４を重畳表示させる。なお、撮影条件変更リスト５４には選択された項目を示すと共に選択ボタン１８の操作に応じて移動するカーソル５６を表示させる。
【００１５】
また、撮影条件変更リストは、ステップＳ２における画像解析結果に基づく項目、予め設定された項目等の複数の項目を含んでいる。例えば、画像解析部４４により暗い画像であると解析された場合には、ＣＰＵ２８はシャッタスピード、絞り値、ＩＳＯ感度、フラッシュ発光量等の画像の明るさに関する項目を含む撮影条件変更リストを表示させる。同様に、画像解析部４４により画像に白とびが存在すると解析された場合にも、ＣＰＵ２８は画像の明るさに関する項目を含む撮影条件変更リストを重畳表示させる。
【００１６】
また、画像解析部４４により青みがかった画像であると解析された場合や、赤みがかった画像であると解析された場合には、ＣＰＵ２８は彩度（色の濃さ）、ホワイトバランス（色温度または色合い）等の色に関する項目を含む撮影条件変更リストを重畳表示させる。
【００１７】
また、画像解析部４４によりピントがずれた画像であると解析された場合には、ＣＰＵ２８はピント位置を変更するための項目、測光条件をシングル測光とするかマルチ測光とするかを選択するための項目等を含む撮影条件変更リストを重畳表示させる。
【００１８】
また、撮影された画像の色を鮮やかにするビビッドモードや人物の撮影に適した撮影条件に変更するポートレートモード、風景の撮影に適した撮影条件に変更する風景モード、モノクロの画像の撮影に適した撮影条件に変更するモノクロームモード等、シーンモードを示す項目を撮影パラメータに関する項目として含む撮影条件変更リストを表示させてもよい。また、モノクロームモードにおいては、白黒の他、セピアや赤、青等、色を選択できるようにしてもよい。
【００１９】
なお、画像解析結果に基づく項目は予め設定された項目と区別されるように表示させてもよい。また、画像解析結果に基づく項目を撮影条件変更リストの上部に表示させたり、画像解析結果に基づく項目に「オススメ」等の推奨される項目であることを示す文字またはアイコンを表示させたりするなど、画像解析結果に基づく項目が優先的に選択できるように表示させてもよい。
【００２０】
次に、ＣＰＵ２８は、撮影条件変更リストを用いて撮影条件の変更内容が決定されたか否かを判断する（ステップＳ４）。ここで、撮影条件変更リストに含まれる少なくとも１つの撮影パラメータに関する項目が選択されると、ＣＰＵ２８は、選択された項目についての変更内容の詳細を示す変更内容決定リストをＬＣＤ表示部１６の確認画像上に重畳表示させる。変更内容決定リストを重畳表示させた状態において所定の決定操作が行われると、撮影条件の変更内容が決定されたと判断する。
【００２１】
例えば、図５に示す撮影条件変更リスト５４において、選択ボタン１８により「ＩＳＯ感度」が選択された状態で決定ボタン２０の操作が行われると、図６に示すようにＣＰＵ２８は、撮影条件決定リストから選択された項目であるＩＳＯ感度についての変更内容の詳細を示す変更内容決定リスト５８を表示させる。選択ボタン１８を用いて変更内容決定リスト５８に含まれる変更内容にカーソル６０を移動させた状態で決定ボタン２０の操作が行われると、ＣＰＵ２８は撮影条件の変更内容を決定する。
【００２２】
撮影条件の変更内容の決定が行われると（ステップＳ４：ＹＥＳ）、ＣＰＵ２８はステップＳ１において撮影した画像の撮影画像データ及びステップＳ３において表示させた撮影条件変更リストのデータを記録させる（ステップＳ５）。
【００２３】
ここで、ＣＰＵ２８は、撮影画像データ及び撮影条件変更リストのデータを同一の記録媒体に記録させてもよいし、異なる記録媒体に記録させてもよい。例えば、同一の記録媒体に記録させる場合には、ＣＰＵ２８は、撮影画像データをメモリカード４０に記録させると共に、撮影条件変更リストのデータを撮影画像データのＥｘｉｆ形式等のファイルのタグデータ内にメタデータとして含めてメモリカード４０に記録させる。
【００２４】
また、異なる記録媒体に記録させる場合には、ＣＰＵ２８は、撮影画像データをメモリカード４０に記録させ、撮影条件変更リストのデータを内部メモリ３８に記録させる。このとき、撮影画像データと撮影条件変更リストのデータとを関連付けて記録させる。
【００２５】
次に、ＣＰＵ２８は撮影条件をステップＳ４で決定された変更内容に変更し（ステップＳ６）、ＬＣＤ表示部１６にスルー画像を表示させ撮影モードに戻る（ステップＳ７）。この場合には、ステップＳ４において決定した変更内容に基づく撮影条件で撮影を行うことができる。
【００２６】
一方、ＬＣＤ表示部１６の確認画像上に撮影条件変更リストを重畳表示させた状態で、キャンセルボタン２６の操作が行われた場合、または所定時間操作が行われない場合には、ＣＰＵ２８は撮影条件の変更内容の決定が行われなかったと判断し（ステップＳ４：ＮＯ）、ステップＳ１において撮影した画像の撮影画像データ及びステップＳ３において表示させた撮影条件変更リストのデータを記録させる（ステップＳ８）。ここで、ＣＰＵ４は、上述のステップＳ５と同様に撮影画像データ及び撮影条件変更リストのデータを同一の記録媒体に記録させてもよいし、異なる記録媒体に記録させてもよい。また、このときＣＰＵ２８は表示制御部３０を制御して、撮影条件変更リストの重畳表示を終了させる。
【００２７】
なお、このステップＳ８における処理は、ステップＳ５に示す処理と同様であるため、詳細な説明は省略する。また、ＬＣＤ表示部１６の確認画像上に上述の変更内容決定リストを重畳表示させた状態で所定時間操作が行われない場合にも、撮影条件の決定が行われなかったと判断してもよい。また、ＬＣＤ表示部１６の確認画像上に上述の変更内容決定リストを重畳表示させた状態でキャンセルボタン２６の操作が行われた場合には、撮影条件の決定が行われなかったと判断し変更内容決定リストの重畳表示を終了させてもよいし、一階層戻って撮影条件変更リストを確認画像上に重畳表示させてもよい。
【００２８】
ＣＰＵ２８は、撮影画像データを記録させると、ＬＣＤ表示部１６にスルー画像を表示させ撮影モードに戻る（ステップＳ７）。
【００２９】
第１の実施の形態に係るカメラによれば、ユーザの感性を反映した撮影画像を得るための撮影パラメータに的確かつ簡単に変更し、撮影を行うことができる。また、第１の実施の形態に係るカメラによれば撮影画像の画像解析を行うため、確認画像として表示される撮影画像に適した変更内容を決定し、撮影条件に反映させることができる。従って、ユーザが意図する画像を容易に撮り直すことができる。
【００３０】
なお、上述の第１の実施の形態において、図４のフローチャートのステップＳ２において撮影処理後に撮影した画像を解析する構成としたが、ステップＳ２に示す処理を省略し、ステップＳ４に示す処理において予め設定された撮影条件変更リストのみを確認画像に重畳表示してもよい。
【００３１】
また、上述の第１の実施の形態において、図４のフローチャートのステップＳ２に示す画像解析処理に代えて、または追加して、ＣＰＵ２８は、内部メモリ３８またはメモリカード４０に撮影条件変更リストに表示可能な項目が選択された回数を記録させ、過去に選択された回数が多い項目を含む撮影条件変更リストを表示させてもよい。このとき、過去に選択された回数が多い項目は予め設定された項目と区別されるように表示させてもよい。また、過去に選択された回数が多い項目を撮影条件変更リストの上部に表示させたり、過去に選択された回数が多い項目に「お気に入り」等の選択回数が多いことを示す文字またはアイコンを表示させたりするなど、過去の選択回数に基づく項目が優先的に選択できるように表示させてもよい。
【００３２】
次に、本発明の第２の実施の形態に係るカメラについて説明する。この第２の実施の形態に係るカメラ２は、第１の実施の形態に係るカメラ２と同一の構成を有しているため、その説明を省略し、同一の構成に同一の符号を用いて説明を行う。
【００３３】
図７は、第２の実施の形態に係るカメラの撮影条件変更処理を示すフローチャートである。再生ボタン２４が操作され、内部メモリ３８またはメモリカード４０に記録された撮影画像データの再生を行う再生モードに設定されると（ステップＳ１１）、ＣＰＵ２８は表示制御部３０を制御して、撮影画像データに基づくサムネイル画像を複数表示させる等、再生画像選択画面をＬＣＤ表示部１６に表示させる（ステップＳ１２）。ここで、本実施の形態において撮影画像データは、撮影条件変更リストのデータをＥｘｉｆ形式等のファイルのタグデータ内にメタデータとして有している（例えば、上述の第１の実施の形態の図４のステップＳ５参照）。また、本実施の形態において撮影画像データは、撮影時にＲＴＣ４９から出力された撮影時刻をＥｘｉｆ形式等のファイルのタグデータ内にメタデータとして有している。
【００３４】
次に、選択ボタン１８を用いて再生画像選択画面に表示されたサムネイル画像が選択された状態で決定ボタン２０の操作が行われると、ＣＰＵ２８は再生を行う撮影画像を決定する（ステップＳ１３）。
【００３５】
次に、ＣＰＵ２８は、現在時刻が再生を行う撮影画像の撮影時刻から一定時間以内であるか否かを判断する（ステップＳ１４）。即ち、ＣＰＵ２８は、撮影画像データのメタデータを参照して再生を行う撮影画像の撮影時刻を取得すると共に、ＲＴＣ４９からの出力に基づいて現在の時刻を取得し、撮影時刻からの経過時間を算出する。
【００３６】
現在時刻が撮影画像の撮影時刻から一定時間以内である場合には、ＣＰＵ２８は、撮影画像データのメタデータを参照して、撮影条件変更リストを取得し（ステップＳ１５）、表示制御部３０を制御して、再生を行っている撮影画像上に取得した撮影条件変更リストを重畳表示させる（ステップＳ１６）。
【００３７】
次に、ＣＰＵ２８は、撮影条件変更リストを用いて撮影条件の変更内容が決定されたか否かを判断する（ステップＳ１７）。ここで、上述の第１の実施の形態の図４に示すステップＳ４における処理と同様に、撮影条件変更リストに含まれる少なくとも１つの撮影パラメータに関する項目が選択されると、ＣＰＵ２８は、選択された項目についての変更内容を示す変更内容決定リストをＬＣＤ表示部１６の撮影画像上に重畳表示させる。変更内容決定リストを重畳表示させた状態において所定の決定操作が行われると、撮影条件の変更内容が決定されたと判断する。
【００３８】
撮影条件の変更内容の決定が行われた場合には、ＣＰＵ２８は撮影条件をステップＳ１７で決定された変更内容に変更し（ステップＳ１８）、ＬＣＤ表示部１６にスルー画像を表示させ撮影モードに移行する（ステップＳ１９）。この場合には、ステップＳ１４において決定した変更内容に基づく撮影条件で撮影を行うことができる。
【００３９】
一方、ＬＣＤ表示部１６の撮影画像上に撮影条件変更リストを重畳表示させた状態で、キャンセルボタン２６の操作が行われた場合、または所定時間操作が行われない場合には、ＣＰＵ２８は撮影条件の変更内容の決定が行われなかったと判断し、ＣＰＵ２８は表示制御部３０を制御して、ＬＣＤ表示部１６に再生を行う撮影画像を表示させる（ステップＳ２０）。即ち、ＣＰＵ２８は、撮影条件変更リストの重畳表示を終了させ、ＬＣＤ表示部１６に撮影条件変更リストの重畳表示を行わずに撮影画像を表示させる。
【００４０】
なお、ＬＣＤ表示部１６の確認画像上に上述の変更内容決定リストを重畳表示させた状態で所定時間操作が行われない場合にも、撮影条件の決定が行われなかったと判断してもよい。また、ＬＣＤ表示部１６の撮影画像上に上述の変更内容決定リストを重畳表示させた状態でキャンセルボタン２６の操作が行われた場合には、撮影条件の決定が行われなかったと判断し変更内容決定リストの重畳表示を終了させてもよいし、一階層戻って撮影条件変更リストを確認画像上に重畳表示させてもよい。
【００４１】
また、ステップＳ１４において、再生を行う撮影画像の撮影時刻から一定時間を経過している場合には、ＣＰＵ２８は表示制御部３０を制御して、ＬＣＤ表示部１６に再生を行う撮影画像を表示させる（ステップＳ２０）。
【００４２】
上述の第２の実施の形態に係るカメラによれば、ユーザの感性を反映した撮影画像を得るための撮影パラメータに的確かつ簡単に変更し、撮影を行うことができる。
【００４３】
また、第２の実施の形態に係るカメラによれば、撮影から一定時間以内の撮影画像に基づいて撮影条件の変更を行うことができる。従って、ユーザは容易に撮影画像の撮り直しを行うことができる。
【００４４】
なお、上述の第２の実施の形態においては再生を行う撮影画像の撮影時刻から一定時間以内である場合に撮影条件変更リストを重畳表示させる構成としたが、撮影画像の撮影時刻に基づく季節が現在の季節と一致する場合や、撮影画像の撮影時刻に基づく時間帯（朝昼夜等）が現在の時間帯と一致する場合にも撮影条件変更リストを重畳表示させる構成としてもよい。また、季節と時間帯の両方が一致する場合に撮影条件変更リストを重畳させる構成としてもよい。
【００４５】
次に、図面を参照して本発明の第３の実施の形態に係るカメラについて説明する。この第３の実施の形態に係るカメラ２は、第１の実施の形態に係るカメラ２と同一の構成を有しているため、その説明を省略し、同一の構成に同一の符号を用いて説明を行う。
【００４６】
図８は、第３の実施の形態に係るカメラの撮影条件変更処理を示すフローチャートである。再生ボタン２４が操作され、再生モードが設定されると（ステップＳ３１）、ＣＰＵ２８は表示制御部３０を制御して、再生画像選択画面をＬＣＤ表示部１６に表示させる（ステップＳ３２）。
【００４７】
ここで、本実施の形態において撮影画像データは、撮影条件変更リストのデータをＥｘｉｆ形式等のファイルのタグデータ内にメタデータとして有している（例えば、上述の第１の実施の形態の図４のステップＳ５参照）。また、本実施の形態において撮影画像データは、撮影時にＧＰＳ４８からの出力された撮影位置をＥｘｉｆ形式等のファイルのタグデータ内にメタデータとして有している。
【００４８】
次に、選択ボタン１８を用いて再生画像選択画面に表示されたサムネイル画像が選択された状態で決定ボタン２０の操作が行われると、ＣＰＵ２８は再生を行う撮影画像を決定する（ステップＳ３３）。
【００４９】
次に、ＣＰＵ２８は、現在の自己位置が、再生を行う撮影画像の撮影位置から一定の距離範囲内であるか否かを判断する（ステップＳ３４）。ここで、ＣＰＵ２８は、撮影画像データのメタデータを参照して、再生を行う撮影画像の撮影位置を取得すると共に、ＧＰＳ４８からの出力に基づいて現在の自己位置を取得し、撮影位置からの距離を算出する。
【００５０】
撮影画像の撮影位置から一定距離範囲内である場合には、ＣＰＵ２８は、撮影画像データのメタデータを参照して、撮影条件変更リストを取得し（ステップＳ３５）、表示制御部３０を制御して、再生を行っている撮影画像上に取得した撮影条件変更リストを重畳表示させる（ステップＳ３６）。
【００５１】
次に、ＣＰＵ２８はステップＳ３７に示す処理を行い、撮影条件の変更内容が決定された場合には、ステップＳ３８及びＳ３９に示す処理を行うが、ステップＳ３７に示す処理は図７のステップＳ１７に示す処理と同様であり、また、ステップＳ３８及びＳ３９に示す処理は図７のステップＳ１８及びＳ１９に示す処理とそれぞれ同様であるため、詳細な説明は省略する。なお、ステップＳ３９において撮影モードに移行することにより、撮影条件をステップＳ３４において決定した変更内容で撮影を行うことができる。
【００５２】
また、ステップＳ３７において撮影条件の変更内容の決定が行われなかった場合はステップＳ４０に示す処理を行うが、ステップＳ４０に示す処理は図７のステップＳ２０に示す処理と同様であるため、詳細な説明は省略する。また、ステップＳ３４において、撮影画像の撮影位置から一定距離範囲内でないと判断した場合には、ステップＳ４０に示す処理を行う。
【００５３】
上述の第３の実施の形態に係るカメラによれば、ユーザの感性を反映した撮影画像を得るための撮影パラメータに的確かつ簡単に変更し、撮影を行うことができる。
【００５４】
また、上述の第３の実施の形態に係るカメラによれば、撮影位置から一定距離範囲内に位置する場合に撮影画像に基づいて撮影条件の変更を行うことができる。従って、ユーザは容易に撮影画像の撮り直しを行うことができる。
【００５５】
なお、上述の第２の実施の形態における図７のフローチャートのステップＳ１２に示す処理及び第３の実施の形態における図８のフローチャートのステップＳ３２に示す処理において、再生画像選択画面を表示させて再生を行う撮影画像の選択を行う構成としたが、再生ボタン２４が操作されると、直近に記録された撮影画像など予め定められた撮影画像を再生する構成としてもよい。この場合には、選択ボタン１８の操作により順序が次の撮影画像や順序が前の撮影画像をＬＣＤ表示部１６に表示させることにより再生を行う撮影画像の選択を行う。
【００５６】
また、上述の第２の実施の形態及び第３の実施の形態において、撮影条件変更リストのデータが撮影画像データのファイルのタグデータ内にＥｘｉｆ形式等のメタデータとして記録されている構成として説明したが、上述の第１の実施の形態において説明したように、撮影画像データと撮影条件変更リストのデータとが関連付けて記録されている構成としてもよい。
【００５７】
また、上述の第２の実施の形態においては再生を行う撮影画像の撮影時刻を基準にして、上述の第３の実施の形態においては再生を行う撮影画像の撮影位置を基準にして撮影条件変更リストを重畳表示させる構成としたが、再生を行う撮影画像の被写体を基準にして撮影条件変更リストを重畳表示させる構成としてもよい。この場合には、例えば図７のステップＳ１３において再生を行う撮影画像を決定すると、ＣＰＵ２８は、現在の画角における被写体を撮像して撮像素子３２から出力される撮像信号に基づいて現在の画角内の被写体認識を行う。また、ＣＰＵ２８は、再生を行う撮影画像の被写体認識を行う。この現在の画角における被写体と、再生を行う撮影画像の被写体とが一致する場合には、ＣＰＵ２８は表示制御部３０を制御して、ＬＣＤ表示部１６に再生を行う撮影画像を表示させ、再生を行う撮影画像データのメタデータとして記録された撮影条件変更リストのデータを取得し、撮影条件変更リストを撮影画像上に重畳表示させる。
【００５８】
次に、図面を参照して本発明の第４の実施の形態に係るカメラについて説明する。この第４の実施の形態に係るカメラ２は、第１の実施の形態に係るカメラ２と同一の構成を有しているため、その説明を省略し、同一の構成に同一の符号を用いて説明を行う。
【００５９】
図９は、第４の実施の形態に係るカメラの撮影条件変更処理を示すフローチャートである。撮影モードにおいて、シャッタボタン１４の全押し操作により撮影指示が行われると、ＣＰＵ２８は撮影制御部３６を制御して被写体の撮影を行う（ステップＳ５１）。次に、ＣＰＵ２８は表示制御部３０を制御して、ステップＳ５１において撮影した画像を確認画像としてＬＣＤ表示部１６に表示させると共に、撮影条件変更リストを確認画像上に重畳表示させる（ステップＳ５２）。ここで、撮影条件変更リストは、撮影パラメータに関する項目により構成されている。また、撮影条件変更リストは、ステップＳ５１において撮影した画像を画像解析部４４により解析させた画像解析結果に基づく項目、予め設定された項目等の複数の項目を含んでいる。
【００６０】
次に、選択ボタン１８を用いた操作により撮影条件変更リストに含まれる少なくとも１つの撮影パラメータに関する項目が選択されると（ステップＳ５３）、ＣＰＵ２８はシミュレーション画像生成部４６を制御して、シミュレーション画像を生成させる（ステップＳ５４）。また、ＣＰＵ２８は表示制御部３０を制御して生成されたシミュレーション画像をＬＣＤ表示部１６に表示させる（ステップＳ５５）。
【００６１】
ここで、ＣＰＵ２８は、選択された項目についてのシミュレーション画像をＬＣＤ表示部１６にサムネイル表示させる。例えば、図５に示す確認画像５２上に「ホワイトバランス」、「ＩＳＯ感度」、「ピクチャーカラー」、「フラッシュ発光量」を項目として含む撮影条件変更リスト５４を重畳表示させ、選択ボタン１８を用いて「ＩＳＯ感度」にカーソル５６を移動させた状態で決定ボタン２０の操作が行われると、ＣＰＵ２８はシミュレーション画像生成部４６を制御してＩＳＯ感度を４００とした場合、８００とした場合、１６００とした場合等のシミュレーション画像を生成させる。次に、ＣＰＵ２８は表示制御部３０を制御してＬＣＤ表示部１６にＩＳＯ感度を４００とした場合、８００とした場合、１６００とした場合等のそれぞれのシミュレーション画像のサムネイル表示をさせる。
【００６２】
また、図５に示す確認画像５２上に重畳表示された撮影条件変更リスト５４において、選択ボタン１８を用いて「フラッシュ発光量」にカーソル５６を移動させた状態で決定ボタン２０の操作が行われると、ＣＰＵ２８はシミュレーション画像生成部４６を制御してフラッシュ光源８から射出される光の光量を変更した場合のシミュレーション画像を複数生成させる。次に、ＣＰＵ２８は表示制御部３０を制御して、生成した複数のシミュレーション画像をＬＣＤ表示部１６にサムネイル表示させる。
【００６３】
また、図５に示す確認画像５２上に重畳表示された撮影条件変更リスト５４において、選択ボタン１８を用いて「ピクチャーカラー」にカーソル５６を移動させた状態で決定ボタン２０の操作が行われると、ＣＰＵ２８はシミュレーション画像生成部４６を制御して、彩度（色の濃さ）、色温度または色合い、ホワイトバランスを変更した場合のシミュレーション画像を複数生成させる。次に、ＣＰＵ２８は表示制御部３０を制御して、生成した複数のシミュレーション画像をＬＣＤ表示部１６にサムネイル表示させる。この場合において、ＣＰＵ２８は、上述のビビッドモードを用いた場合のシミュレーション画像を生成させ、ＬＣＤ表示部１６に表示させてもよい。
【００６４】
また、ＣＰＵ２８は、上述のモノクロームモードを項目として含む撮影条件変更リストを確認画像上に重畳表示させ、選択ボタン１８及び決定ボタン２０を用いてモノクロームモードが選択された場合には、シミュレーション画像生成部４６を制御して白黒、セピア、赤、青等の色に調色された複数のモノクローム画像を生成させ、生成した複数のシミュレーション画像をＬＣＤ表示部１６にサムネイル表示させる。
【００６５】
なお、選択ボタン１８を用いて選択された場合など操作部５０を用いた所定の操作が行われた場合に、ＣＰＵ２８は、サムネイル表示されたシミュレーション画像をＬＣＤ表示部１６の全面に表示させるなど、拡大表示させてもよい。この場合には、ユーザは、より確実にシミュレーション画像の確認を行うことができる。
【００６６】
次に、ＣＰＵ２８は、撮影条件変更リストを用いて撮影条件の変更内容が決定されたか否かを判断する（ステップＳ５６）。ここで、ステップＳ５５においてサムネイル表示された複数のシミュレーション画像から、選択ボタンにより１つのシミュレーション画像が選択された状態で決定ボタン２０の操作が行われると、ＣＰＵ２８は撮影条件の変更内容を決定する。即ち、ＣＰＵ２８は、撮影条件を選択されたシミュレーション画像に用いられている撮影条件の変更内容に決定する。
【００６７】
撮影条件の変更内容の決定が行われると、ＣＰＵ２８はステップＳ５１において撮影した画像の撮影画像データ及びステップＳ５２において表示させた撮影条件変更リストのデータを記録させ（ステップＳ５７）、撮影条件をステップＳ５６で決定された変更内容に変更し（ステップＳ５８）、ＬＣＤ表示部１６にスルー画像を表示させ撮影モードに戻る（ステップＳ５９）。なお、ステップＳ５７〜Ｓ５９に示す処理は、図４のステップＳ５〜Ｓ７に示す処理とそれぞれ同様であるため、詳細な説明は省略する。
【００６８】
一方、ＬＣＤ表示部１６の確認画像上に撮影条件変更リストを重畳表示させた状態で、キャンセルボタン２６の操作が行われた場合、または所定時間操作が行われない場合には、ＣＰＵ２８は撮影条件の変更内容の決定が行われなかったと判断し、ステップＳ５１において撮影した画像の撮影画像データ及びステップＳ５２において表示させた撮影条件変更リストのデータを記録させ（ステップＳ６０）、その後、ＬＣＤ表示部１６にスルー画像を表示させ撮影モードに戻る（ステップＳ５９）。なお、このステップＳ６０における処理は、図４のステップＳ５に示す処理と同様であるため、詳細な説明は省略する。
【００６９】
この第４の実施の形態に係るカメラによれば、ユーザの感性を反映した撮影画像を得るための撮影パラメータに的確かつ簡単に変更し、撮影を行うことができる。
【００７０】
また、第４の実施の形態に係るカメラによれば、シミュレーション画像を生成し、表示させたシミュレーション画像に基づいて撮影条件の変更を行うことができる。従って、撮り直しを行うことにより、ユーザの意図に沿った画像を容易に得ることができる。
【００７１】
なお、上述の第４の実施の形態においては、シミュレーション画像をサムネイル表示させる構成としたが、ＬＣＤ表示部１６の確認画像上にシミュレーション画像を表示させる構成としてもよい。この場合には、図９のステップＳ５３において、撮影条件変更リストに含まれる項目が選択されると、ＣＰＵ２８はシミュレーション画像生成部４６を制御して、シミュレーション画像を生成させ、表示制御部３０を制御して生成されたシミュレーション画像をＬＣＤ表示部１６に表示させる。
【００７２】
ここで、ＣＰＵ２８は、選択された項目について撮影条件の変更を行った１のシミュレーション画像を生成し、確認画像上にシミュレーション画像を重畳表示させる。このとき、ＬＣＤ表示部１６に表示された確認画像の全面に置き換えてシミュレーション画像を表示させてもよいし、確認画像の一部にシミュレーション画像を表示させるウインドウを表示してもよい。
【００７３】
また、この場合において、選択ボタン１８やキャンセルボタン２６等の操作により他の撮影条件の変更内容に基づくシミュレーション画像を生成させ、生成されたシミュレーション画像をＬＣＤ表示部１６の確認画像上に表示させてもよい。これにより、ユーザが他のシミュレーション画像を確認したい場合など、他の変更内容に基づくシミュレーション画像の生成及び表示を行うことができる。
【００７４】
この場合において、シミュレーション画像が確認画像上に重畳表示された状態で決定ボタン２０の操作が行われると、ＣＰＵ２８は図９のステップＳ５６に示す変更内容の決定が行われたと判断する。このときＣＰＵ２８は、ＬＣＤ表示部１６に重畳表示されたシミュレーション画像の内容で変更内容の決定が行われたと判断する。
【００７５】
なお、上述の各実施の形態において、選択ボタン１８、決定ボタン２０等、操作部５０を用いて行われる操作を受け付ける構成としたが、ＬＣＤ表示部１６にタッチパネルを積層して配置し、タッチパネルを用いて行われる操作を受け付ける構成としてもよい。この場合には、ユーザは、さらに直感的な操作を行うことができる。また、シャッタボタン１４の機能をタッチパネルに含ませることにより、タッチパネルを用いたレリーズ指示を受け付ける構成としてもよい。
【符号の説明】
【００７６】
２…カメラ、１６…ＬＣＤ表示部、２８…ＣＰＵ、３０…表示制御部、３２…撮像素子、４６…シミュレーション画像生成部、５０…操作部
【図１】
2013214881.tif 000003
【図２】
2013214881.tif 000004
【図３】
2013214881.tif 000005
【図４】
2013214881.tif 000006
【図５】
2013214881.tif 000007
【図６】
2013214881.tif 000008
【図７】
2013214881.tif 000009
【図８】
2013214881.tif 000010
【図９】
2013214881.tif 000011